(57)【要約】【課題】動作プログラム、および設定データを、設置場所に応じて自動的に更新する情報処理装置を提供する。【解決手段】自動改札機１は、自装置が移設されたかどうかを確認する移設確認処理を行い、自装置が移設されていると判定すると、移設された場所に設置されている他の自動改札機１であって、この場所に応じた動作プログラムおよび設定データで動作する自動改札機１を検出する適正環境機器検出処理を行う。自動改札機１は、適正環境機器である他の自動改札機１を検出すると、この他の自動改札機１から動作プログラムおよび設定データを取得し、更新する。【選択図】図１
2010198413.tif 000002
【特許請求の範囲】
【請求項１】
設置場所に応じた動作プログラム、および設定データで装置本体を動作させる情報処理装置において、
ネットワークを介して接続される他の情報処理装置と通信する通信手段と、
自装置の設置環境の変化から、自装置が移設されたかどうかを判定する移設判定手段と、
前記移設判定手段で自装置が移設されたと判定したときに、前記通信手段によりネットワークを介して接続されており、且つ、自装置が移設された場所に応じた動作プログラム、および設定データで装置本体を動作させている他の情報処理装置を検出する検出手段と、
前記通信手段により、前記検出手段が検出した他の情報処理装置から動作プログラム、および設定データを取得し、自装置の動作プログラム、および設定データを更新する更新手段と、を備えた情報処理装置。
【請求項２】
本体に取り付けたカメラを有する撮像手段を備え、
前記移設判定手段は、前記撮像手段のカメラが撮像した撮像画像により、自装置の設置環境の変化を判定することで、自装置が移設されたかどうかを判定する手段である、請求項１に記載の情報処理装置。
【請求項３】
自装置の識別情報、および設置場所を含む機器情報を記憶する記憶手段と、
自装置の移設可能性について、前記記憶手段が記憶している機器情報を含む認証要求を、前記通信手段により前記ネットワークを介して接続される他の情報処理装置に送信する認証要求手段と、を備え、
前記移設判定手段は、前記ネットワークを介して接続される他の情報処理装置から受信した、前記認証要求に対する認証結果により、自装置の設置環境の変化を判定することで、自装置が移設されたかどうかを判定する手段である、請求項１、または２に記載の情報処理装置。
【請求項４】
前記移設判定手段は、前記ネットワークを介して接続される他の情報処理装置から受信した、前記認証要求に対する認証結果と、他の情報処理装置から送信されてきた認証要求により、自装置の設置環境の変化を判定することで、自装置が移設されたかどうかを判定する手段である、請求項３に記載の情報処理装置。
【請求項５】
前記検出手段は、自装置が移設された場所に応じた動作プログラム、および設定データで装置本体を動作させている他の情報処理装置を複数台検出する手段であり、
前記更新手段は、前記検出手段が検出した複数台の他の情報処理装置毎に、動作プログラム、および設定データを取得し、各情報処理装置から取得した動作プログラム、および設定データが同じであれば、取得した動作プログラム、および設定データを自装置の動作プログラム、および設定データとして更新する手段である、請求項１〜４のいずれかに記載の情報処理装置。
【発明の詳細な説明】
【技術分野】
【０００１】
この発明は、設置場所に応じた動作プログラム、および設定データで装置本体を動作させる情報処理装置に関する。
【背景技術】
【０００２】
従来、集計装置がネットワークを介して接続される複数の情報処理装置から処理データを収集し、集計するシステムとして、集計装置が処理データを収集する情報処理装置毎に、機器情報を取得し、自動的に登録するものがある（特許文献１、２参照）。これらの特許文献１、２は、集計装置が処理データを収集する券売機、精算機、自動改札機等の駅務機器（情報処理装置）の機器情報を登録する駅務システムを例示している。このシステムでは、集計装置に接続される情報処理装置に変更が生じた場合に、係員等が集計装置に対して処理データを収集する情報処理装置の登録変更操作を行う必要がない。
【先行技術文献】
【特許文献】
【０００３】
【特許文献１】特開平８−  １６８２９号公報
【特許文献２】特開平７−  ９３４１６号公報
【発明の概要】
【発明が解決しようとする課題】
【０００４】
しかしながら、例えば、自動改札機は、設置駅に応じた動作プログラム、および設定データで動作させなければ、運賃の誤収受等の問題が生じる。したがって、Ａ駅に設置されていた自動改札機を、Ｂ駅に移設した場合、この自動改札機の動作プログラムや、設定データを、移設したＢ駅に応じた動作プログラムや、設定データに更新する必要がある。この更新は、係員による操作で対応しており、手間がかかるとともに、係員の更新ミスにより運賃の誤収受等が生じることがあった。
【０００５】
この発明の目的は、動作プログラム、および設定データを、設置場所に応じて自動的に更新する情報処理装置を提供することにある。
【課題を解決するための手段】
【０００６】
この発明の情報処理装置は、上記目的を達するために、以下の構成を備えている。
【０００７】
この情報処理装置は、通信手段により、ネットワークを介して接続される他の情報処理装置と通信する。移設判定手段が、自装置の設置環境の変化から、自装置が移設されたかどうかを判定する。例えば、装置本体に取り付けたカメラの撮像画像の変化により、自装置が移設されたかどうかを判定してもよいし、ネットワーク介して接続されている他の装置と通信し、接続されている装置の変化により、自装置が移設されたかどうかを判定してもよい。また、この判定は、例えば、装置本体の立ち上げ時等の予め定めたタイミングで行えばよい。
【０００８】
また、検出手段が、移設判定手段で自装置が移設されたと判定したときに、通信手段によりネットワークを介して接続されており、且つ、自装置が移設された場所に応じた動作プログラム、および設定データで装置本体を動作させている他の情報処理装置を検出する。そして、更新手段が、検出手段が検出した他の情報処理装置から動作プログラム、および設定データを通信手段により取得し、自装置の動作プログラム、および設定データを更新する。
【０００９】
したがって、情報処理装置を移設したときに、この情報処理装置に対する動作プログラム、および設定データの更新が自動的に行える。このため、移設にかかる作業員の手間が大幅に削減できるとともに、装置本体を動作させる動作プログラム、および設定データを適正に更新できる。
【発明の効果】
【００１０】
この発明によれば、移設にかかる手間が大幅に削減できるとともに、設置場所に応じて、動作プログラム、および設定データを確実に更新できる。
【図面の簡単な説明】
【００１１】
【図１】改札システムの概略図である。
【図２】自動改札機の主要部の構成を示す図である。
【図３】機器情報を示す図である。
【図４】自動改札機の更新処理示すフローチャートである。
【図５】自動改札機の移設確認処理を示すフローチャートである。
【図６】自動改札機の適正環境機器検出処理を示すフローチャートである。
【図７】別の自動改札機の主要部の構成を示す図である。
【図８】別の自動改札機の移設確認処理を示すフローチャートである。
【図９】別の自動改札機の適正環境機器検出処理を示すフローチャートである。
【図１０】別の改札システムの概略図である。
【発明を実施するための形態】
【００１２】
以下、この発明の実施形態について説明する。ここでは、駅の改札口に設置され、駅構内に入場する利用者や、駅構内から出場する利用者に対して改札処理を行う自動改札機を例にして説明する。
【００１３】
図１は、この改札システムの概略図である。この改札システムは、ＬＡＮ等のネットワークを介して複数の自動改札機１（１ａ〜１ｍ）を相互に通信可能に接続している。これらの自動改札機１は、同じ駅（ここでは、Ａ駅）に設置されている。同じ駅に設置されている自動改札機１は、同じ動作プログラム、および設定データで動作させる必要がある。また、各自動改札機１は、図示していない、駅サーバに接続されている。この駅サーバは、各自動改札機１での改札処理にかかる処理データの集計等を行う。
【００１４】
図２は、自動改札機の主要部の構成を示す図である。自動改札機１は、制御部１０と、乗車券処理部１１と、利用者検知部１２と、表示部１３と、扉開閉部１４と、報知部１５と、通信部１６と、を備えている。制御部１０は、自動改札機１本体各部の動作を制御する。制御部１０は、動作時に使用する動作プログラム、および設定データを記憶するメモリ等の記憶部を有する。また、この記憶部は、記憶している動作プログラム、および設定データ毎に、その種類を示す識別情報やバージョン等を記憶しているとともに、後述する機器情報を記憶している。
【００１５】
乗車券処理部１１は、改札通路を通行する利用者が所持している乗車券を受け付け、受け付けた乗車券に記録されている乗車券情報の読み取りや、乗車券に対する乗車券情報の書き込みを行う。乗車券には、乗車券情報を磁気データで記録している磁気券や、無線通信機能を有し、乗車券情報を内蔵メモリに記録している非接触ＩＣ券等がある。乗車券処理部１１は、磁気券、または非接触ＩＣ券の一方のみ処理できる構成であってもよいし、両方処理できる構成であってもよい。磁気券を処理する構成では、周知のように、改札通路の入口側に設けた投入口と出口側に設けた放出口との間に、磁気券を搬送する搬送路を有している。また、この搬送路の途中には、搬送している磁気券に記録されている乗車券情報の読み取りや、磁気券に対して乗車券情報の書き込みを行う磁気ヘッドが配置されている。非接触ＩＣ券を処理する構成では、周知のように、非接触ＩＣ券と無線通信を行うためのアンテナを改札通路の入口側に設けている。このアンテナから数ｃｍの範囲が無線通信エリアであり、この無線通信エリア内に位置する非接触ＩＣ券との無線通信により、この非接触ＩＣ券が記憶している乗車券情報の読み取りや、この非接触ＩＣ券に対する乗車券情報の書き込みを行う。自動改札機１は、読み取った乗車券情報に基づいて、改札通路における利用者の通行可否等を判定する。
【００１６】
利用者検知部１２は、改札通路に沿って設けた複数のセンサにより、利用者の有無を検知することで、改札通路を通行している利用者の位置を追従検知する。表示部１３は、改札通路の出口側付近に設けた表示器に、改札通路を通行している利用者に対する案内メッセージ等を表示する。また、扉開閉部１４は、改札通路の出口側付近に設けた扉を開閉することにより、改札通路における利用者の通行を制限する。報知部１５は、改札通路に進入した利用者が適正な乗車券を所持していなければ、その旨を報知する。通信部１６は、ネットワーク介して接続されている他の自動改札機や、図示していない駅サーバとの通信を行う。
【００１７】
なお、自動改札機１における改札処理については、周知であるので、ここでは詳細説明を省略する。
【００１８】
図３は、機器情報を示す図である。この機器情報は、制御部１０の記憶部に記憶している。この機器情報には、自装置のＭＡＣアドレス、ＩＰアドレス、機器識別情報、設置場所情報、移設検知情報が含まれている。機器識別情報は、その自動改札機１に割り当てられている固有の番号であり、ここでは号機番号とする。機種情報は、自装置の種別を示す情報であり、駅務機器であれば、自動改札機、精算機、券売機等の種別を示す情報である。設置場所情報は、設置場所である駅を示す情報である。移設検知情報は、後述する処理で、自装置が移設されていると判定したかどうかを示す情報である。
【００１９】
次に、この自動改札機１における、動作プログラムおよび設定データの更新処理について説明する。図４は、この自動改札機の更新処理を示すフローチャートである。自動改札機１は、電源スイッチのオンにともなう本体の立上処理が完了すると、この図４に示す処理を実行する。自動改札機１は、自装置が移設されたかどうかを確認する移設確認処理を行う（ｓ１）。ｓ１にかかる移設確認処理の詳細については後述する。自動改札機１は、この移設確認処理により、自装置が移設されていないと判定すると（ｓ２）、本処理を終了し、周知の改札処理を開始する。
【００２０】
自動改札機１は、自装置が移設されていると判定すると、移設された場所に設置されている他の自動改札機１であって、この場所に応じた動作プログラムおよび設定データで動作している自動改札機１（適正環境機器）を検出する適正環境機器検出処理を行う（ｓ３）。このｓ３にかかる適正環境機器検出処理の詳細は後述する。
【００２１】
自動改札機１は、ｓ３で、適正環境機器である他の自動改札機１を検出できなければ、エラー処理を行って、本体を停止する（ｓ４、ｓ５）。自動改札機１が適正環境機器である他の自動改札機１が検出できない場合には、移設された場所に適正環境機器が存在していない場合もあれば、移設された場所のどの自動改札機１が適正環境機器であるか判定できない場合もある。
【００２２】
自動改札機１は、適正環境機器である他の自動改札機１が検出できると、この適正環境機器である自動改札機１から動作プログラムおよび設定データを取得し、記憶部に記憶している動作プログラムおよび設定データを更新する（ｓ４、ｓ６）。自動改札機１は、ｓ６にかかる更新が適正に行えたかどうかを確認する（ｓ７）。自動改札機１は、ｓ６にかかる更新が適正に行えていれば、本処理を終了し、周知の改札処理を開始する。一方、自動改札機１は、ｓ６にかかる更新が適正に行えていなければ、ｓ５でエラー処理を行って、本体を停止する。
【００２３】
次に、ｓ１にかかる移設確認処理について説明する。図５は、この移設確認処理を示すフローチャートである。各自動改札機１は、ネットワークを介して接続されている他の自動改札機１毎に、ＭＡＣアドレスと、ＩＰアドレスとを対応付けた認証用情報を記憶している。また、このネットワークを介して接続されている自動改札機１は、同じ駅に設置されており、同じ動作プログラム、および設定データで動作させる必要がある。自動改札機１は、通信部１６において、ネットワークを介して接続されている他の自動改札機１に対して、制御部１０の記憶部に記憶している機器情報を含む認証要求をブロードキャスト通信で送信する（ｓ１１）。
【００２４】
自動改札機１は、他の自動改札機１から認証要求を受信すると、この認証要求に含まれているＭＡＣアドレス、およびＩＰアドレスを用いて、移設されてきた自動改札機１であるかどうかを判定する。この判定は、自装置が記憶している認証用情報に、該当するＭＡＣアドレス、およびＩＰアドレスが登録されているかどうかによって行う。具体的には、自装置が記憶している認証用情報に、該当するＭＡＣアドレス、およびＩＰアドレスが登録されていれば移設の可能性がないと判定し、登録されていなければ移設の可能性があると判定する。自動改札機１は、受信した認証要求に対する認証結果として、自装置の機器情報と、上記判定結果とを通知する。
【００２５】
自動改札機１は、ｓ１１でブロードキャスト通信で送信した認証要求に対する他の自動改札機１からの認証結果を受信する（ｓ１２）。また、自動改札機１は、他の自動改札機１からの認証要求を受信した場合には、その認証要求に対する認証結果を送信する。自動改札機１は、ｓ１２で他の自動改札機１から受信した認証結果、および自装置が他の自動改札機に対して送信した認証結果に基づいて、自装置の移設の可能性を判定する（ｓ１３）。ｓ１３では、自装置が移設の可能性がないと判定した他の自動改札機１の台数と、自装置に対して移設の可能性がないとする認証結果を送信してきた自動改札機１の台数との和（以下、移設なし台数と言う。）と、自装置が移設の可能性があると判定した他の自動改札機１の台数と、自装置に対して移設の可能性があるとする認証結果を送信してきた自動改札機１の台数との和（以下、移設あり台数と言う。）と、の比較により、自装置の移設の可能性を判定する。具体的には、移設なし台数が移設あり台数よりも多ければ、自装置の移設の可能性はないと判定し、反対に、移設あり台数が移設なし台数よりも多ければ、自装置の移設の可能性があると判定する。このように、自動改札機１は、移設なし台数と、移設あり台数との多数決により、自装置の移設の可能性を判定する。
【００２６】
上記の説明から明らかなように、移設された自動改札機１は、他の自動改札機１から移設の可能性ありの認証結果を受信するとともに、他の自動改札機１対しても移設の可能性ありの認証結果を送信する。これに対し、移設されていない自動改札機１は、移設されていない他の自動改札機１からは、移設の可能性なしの認証結果を受信するとともに、移設されていない他の自動改札機１対して移設の可能性なしの認証結果を送信する。
【００２７】
ただし、移設されていない自動改札機１であっても、移設された他の自動改札機１からは、移設の可能性ありの認証結果を受信するとともに、移設された他の自動改札機１対して移設の可能性ありの認証結果を送信する。すなわち、移設された自動改札機１が存在する場合、移設されていない自動改札機１においても、移設あり台数は「０」にならない。
【００２８】
次に、ｓ３にかかる適正環境機器検出処理について説明する。図６は、この適正環境機器検出処理を示すフローチャートである。自動改札機１は、他の自動改札機１からの認証結果、および認証要求に含まれている機器情報に基づいて、設置場所情報が示す駅毎に、自動改札機１の台数を算出し（ｓ２１）、その台数が最大である駅を自装置が移設された駅であると判定する（ｓ２２）。自動改札機１は、ｓ２２で判定した自装置が移設された駅が設置駅である自動改札機１を、この移設された駅に応じた動作プログラムおよび設定データで動作している自動改札機１（適正環境機器）として検出する（ｓ２３）。
【００２９】
上述したように、自動改札機１は、適正環境機器である他の自動改札機１を検出すると、ｓ６で、この他の自動改札機１に対して動作プログラムおよび設定データの送信を要求し、自装置が記憶している動作プログラムおよび設定データを、この要求に対して返信されてきた動作プログラムおよび設定データに更新する。このとき、移設された自動改札機１は、自装置の機器情報における設置場所情報等も更新する。また、自装置が記憶している認証用情報をクリアし、自装置が移設された駅が設置駅である他の自動改札機１毎に、ＭＡＣアドレス、およびＩＰアドレスを登録した認証用情報を生成する。
【００３０】
なお、この認証用情報を作成した後、他の自動改札機１からの認証要求を受信した場合には、移設の可能性がある旨の認証結果を返信するが、設置駅が自装置の移設された駅と同じである自動改札機１については、認証用情報にＭＡＣアドレス、およびＩＰアドレスを登録する。これにより、設置駅が同じである他の自動改札機１について、ＭＡＣアドレス、およびＩＰアドレスを登録した認証用情報を作成することができる。
【００３１】
自動改札機１は、ｓ６で更新後における動作プログラムおよび設定データ毎に、その種類を示す識別情報やバージョン等を、今回動作プログラムおよび設定データの送信を要求した適正環境機器である自動改札機１に通知し、更新が適正に行えているかどうかの確認を要求する。この要求を受信した自動改札機１は、自装置が記憶している動作プログラムおよび設定データと、完全に一致していれば更新ＯＫを返信し、完全に一致していなければ更新ＮＧを返信する。
【００３２】
このように、移設された自動改札機１は、自装置が移設されたかどうかを判定するとともに、自装置が移設されたと判定した場合に、移設された駅で動作している他の自動改札機１から動作プログラム、および設定データを取得し、自装置の動作プログラム、および設定データを更新する。したがって、自動改札機１の移設にかかる作業員の手間が大幅に削減できるとともに、移設した駅に応じた動作プログラム、および設定データの更新が適正に行える。
【００３３】
また、上記の説明では、ＭＡＣアドレス、およびＩＰアドレスを認証用情報として登録するとしたが、機器識別情報、設置場所情報、移設検知情報も含めて認証用情報として登録する構成としてもよい。
【００３４】
また、ｓ６での動作プログラムおよび設定データの更新が適正に行えたかどうかの確認については、今回動作プログラムおよび設定データの送信を要求した適正環境機器から再度動作プログラムおよび設定データ毎に、その種類を示す識別情報やバージョン等を取得し、自装置で確認する構成としてもよい。また、このとき、今回更新した動作プログラムおよび設定データを取得した適正環境機器とは、異なる適正環境機器との間で、動作プログラムおよび設定データの更新が適正に行えたかどうかの確認を行うようにしてもよい。
【００３５】
なお、この例では、移設検知情報については、特に説明しなかったが、ｓ１で自装置が移設されているかどうかを判定した判定結果を記憶する。
【００３６】
次に、この発明の別の実施形態について説明する。図７は、別の実施形態にかかる自動改札機の主要部の構成を示す図である。ここでは図２と同じ構成については、同じ符号を付している。上述した自動改札機１と異なる点は、撮像部１７を備えている点である。撮像部１７は、ＣＣＤカメラを有し、自装置が設置されている周辺エリアを撮像する。ＣＣＤカメラは本体に固定されている。また、撮像部１７は、ＣＣＤカメラの撮像画像を記憶する画像メモリを有している。
【００３７】
この自動改札機１も、上述した自動改札機と同様の処理を行い、自装置が移設されたと判定した場合に、移設された駅で動作している他の自動改札機１から動作プログラム、および設定データを取得し、自装置の動作プログラム、および設定データを更新する。異なる点は、ｓ１にかかる移設確認処理、およびｓ３にかかる適正環境機器検出処理である。
【００３８】
図８は、この自動改札機の移設確認処理を示すフローチャートである。この自動改札機１は、撮像部１７による撮像エリアを撮像した撮像画像（今回撮像画像）を取り込む（ｓ３１）。自動改札機１は、前回の立ち上げ時に、撮像部１７による撮像エリアを撮像した撮像画像（前回撮像画像）を記憶している。自動改札機１は、今回撮像画像と、前回撮像画像と、を比較し、その類似度を算出する（ｓ３２）。自動改札機１は、ｓ３２で算出した類似度が予め定めた値よりも小さいかどうかにより、自装置が移設された可能性を判定する（ｓ３３）。
【００３９】
なお、自動改札機１は、今回撮像した撮像画像を撮像部１７の画像メモリに記憶する。
【００４０】
次に、ｓ３にかかる適正環境機器検出処理について説明する。図９は、この自動改札機の適正環境機器検出処理を示すフローチャートである。自装置が移設された可能性があると判定した自動改札機１は、ネットワークを介して接続されている他の自動改札機１に対して、機器情報の送信要求をブロードキャスト通信で送信する（ｓ４１）。この機器情報の送信要求を受信した自動改札機１は、自装置が記憶している機器情報を返信する。
【００４１】
自動改札機１は、返信されてきた機器情報に基づいて、設置場所情報が示す駅毎に、自動改札機１の台数を算出し（ｓ４２）、その台数が最大である駅を自装置が移設された駅であると判定する（ｓ４３）。自動改札機１は、ｓ４３で判定した自装置が移設された駅が設置駅である自動改札機１を、この移設された駅に応じた動作プログラムおよび設定データで動作する自動改札機１（適正環境機器）として検出する（ｓ４４）。
【００４２】
このように、この実施形態の自動改札機１は、ＣＣＤカメラの撮像画像を用いて、自装置が移設されたかどうかを判定する。また、自装置が移設されたと判定した場合には、移設された駅で動作している他の自動改札機１から動作プログラム、および設定データを取得し、自装置の動作プログラム、および設定データを更新する。
【００４３】
また、ｓ１にかかる移設確認処理は、上記２つの実施形態の組み合わせとしてもよい。具体的には、移設なし台数と、移設あり台数との多数決による移設の可能性の判定、およびＣＣＤカメラの撮像画像による移設の可能性の判定を行い、少なくとも一方の判定において、移設の可能性があると判定した場合に、自装置が移設されたと判定するようにしてもよい。また、この場合には、ＣＣＤカメラの撮像画像による移設の可能性の判定結果を、機器情報の１つである移設検知情報に設定し、ｓ１１にかかる認証要求をブロードキャスト通信で送信すればよい。これにより、この認証要求を受信した自動改札機１側で、認証要求を送信してきた自動改札機１が、移設の可能性がある自動改札機１であるかどうかを判定することができる。言い換えれば、移設の可能性が自装置にあるのか、今回の認証要求を送信してきた自動改札機１にあるのかを判定することができる。
【００４４】
また、上記の説明では、検出した１台の適正環境機器から更新用の動作プログラム、および設定データを取得するとしたが、検出できた全ての適正環境機器から動作プログラム、および設定データを取得し、各適正環境機器から取得した動作プログラム、および設定データの識別情報やバージョン等が全て一致していれば、更新する構成としてもよい。
【００４５】
また、無線ＬＡＮを使用しているシステムであれば、アクセスポイントの変化によって、自装置の移設の可能性を判定することもできる。この場合には、同じ動作プログラム、および設定データで動作させる自動改札機１は、同じアクセスポイントを利用して通信する。したがって、自装置の移設の可能性があると判定した自動改札機１は、同じアクセスポイントを利用して通信する自動改札機であって、且つ、自装置の移設の可能性がないと判定した自動改札機を、適正環境機器として検出すればよい。
【００４６】
また、上記の説明では、相互に通信可能な自動改札機１は、同じ動作プログラム、および設定データで動作させることを前提にしたが、図１０に示すように、複数の駅に設置されている自動改札機１間でも、公衆回線や専用回線を介して通信できるシステムの場合には、通信可能な自動改札機１であっても、異なる駅（図では、Ａ駅、Ｂ駅、Ｃ駅）に設置されている自動改札機１間においては、動作プログラム、および設定データを異ならせる必要がある。この図１０に示すシステムでは、自装置と異なる駅に設置されている自動改札機１からも、認証要求に対する認証結果や、認証要求を受信するため、上述した移設なし台数と、移設あり台数との多数決による移設の可能性の判定では、移設の可能性を適正に判定することができない。しかし、自動改札機１は、上述したＣＣＤカメラの撮像画像による方法で、移設の可能性を適正に判定できる。すなわち、図１０に示すシステムでは、自動改札機１は、ＣＣＤカメラの撮像画像による方法で、自装置の移設の可能性を判定する。
【００４７】
また、この図１０に示すシステムでは、自装置の移設を検知した場合、適正環境機器である自動改札機１の検出については、以下に示す（１）〜（３）のいずれかの方法で行えばよい。
【００４８】
（１）一般的な駅の改札口では、複数の自動改札機１を隣接して並べている。したがって、隣接している２つの自動改札機１間では、撮像部１７の撮像画像に重なっている領域が大きい。このことから、移設の可能性がないと判定した他の自動改札機１から、撮像部１７で撮像した撮像画像を取り込み、一定以上の一致がある画像を得た他の自動改札機１を、自装置に隣接している自動改札機１として検出する。そして、この自動改札機１を、適正環境機器として検出する。
【００４９】
（２）自動改札機１にランプ等を設け、隣接している自動改札機１のランプが撮像部１７で撮像できる構成とする。移設の可能性がないと判定した他の自動改札機１に対して、順番にランプの点灯を指示し、ランプが点灯した自動改札機１が撮像できたときに、この自動改札機１を、自装置に隣接している自動改札機１として検出する。そして、この自動改札機１を、適正環境機器として検出する。
【００５０】
（３）自動改札機１にマイクとスピーカを設け、周辺に設置されている自動改札機１のスピーカから放音された音を、マイクで集音する構成とする。移設の可能性がないと判定した他の自動改札機１に対して、順番にスピーカからの放音を指示し、マイクでこの音が集音できたときに、この自動改札機１を、自装置の周辺に設置されている自動改札機１として検出する。そして、この自動改札機１を、適正環境機器として検出する。
【００５１】
また、パケット監視が可能なＨＵＢ(SW-HUBの監視ポートなど)を設け、伝送路上に流れるパケットから、ＩＰアドレス、ＭＡＣアドレスをリスト化し、同一ＨＵＢに接続されている自動改札機１に通知する。自動改札機１は、機器情報リストを元に、同一ＨＵＢに接続されている機器が変化していないか、ロケーション情報が異なっていないかを判断することにより、自装置の移設の可能性を判定してもよい。そして、同一ＨＵＢで通信している自動改札機１で、移設を検知していない自動改札機１を適正環境機器として検出すればよい。
【００５２】
なお、この場合は、伝送路上を流れるパケットの監視を行う、監視用のアプリケーションを設ける必要がある。
【００５３】
なお、上記の説明では、本願発明を、自動改札機１に適用した場合を例にして説明したが、自動改札機１以外の駅務機器（券売機や精算機等）や、その他の種類の機器であっても、本願発明は適用できる。
【符号の説明】
【００５４】
１（１ａ〜１ｍ）−自動改札機
１０−制御部
１１−乗車券処理部
１２−利用者検知部
１３−表示部
１４−扉開閉部
１５−報知部
１６−通信部
１７−撮像部
【図１】
2010198413.tif 000003
【図２】
2010198413.tif 000004
【図３】
2010198413.tif 000005
【図４】
2010198413.tif 000006
【図５】
2010198413.tif 000007
【図６】
2010198413.tif 000008
【図７】
2010198413.tif 000009
【図８】
2010198413.tif 000010
【図９】
2010198413.tif 000011
【図１０】
2010198413.tif 000012